(57)【特許請求の範囲】
【請求項１】
貨幣を投入可能とされた紙幣投入口と、
残存有価価値情報である残金データが書き換え可能に記憶された記憶媒体としてのカードを挿入可能としたカード挿入口と、
磁気ヘッド部と、印字ヘッド部とを有するリーダライタと、
前記挿入されたカードの残金データと前記投入貨幣との合計金額を逐次表示する金額表示部と、
油種選択スイッチで選択された油種の単価と前記金額表示部において前記逐次表示される金額に基づき、前記選択した油種において給油可能な油量が表示される給油可能油量表示部と、
少なくとも前記カードにはポイントが付与されるようになっており、このポイント数は、給油に利用した利用合計額に応じてポイントが付与されていき、該付与ポイントにおける所定得点毎に所定の金額が、前記残金データである利用後残高に加算されるとともに、該加算処理された金額に該当するポイントの減算処理が実施される加算減算処理手段と、
給油後に、前記カードには、前記カードにある残金データと前記投入貨幣との合計金額から給油利用金額が減額された利用後残高に、少なくとも前記付与ポイントから得られる金額が加算された新たな残金データ、そして減算処理されたポイント数を、前記磁気ヘッド部と印字ヘッド部とを利用して記録並びに印字してカードを返却する返却手段と、
を具備することを特徴とする給油入金精算装置。
【請求項２】
前記カードが、前記印字を所定回数に渡って書き換え可能なリライトカードであることを特徴とする請求項１に記載の給油入金精算装置。
【発明の詳細な説明】
【技術分野】
【０００１】
本発明は、ガソリンスタンド等の給油施設に設置され、給油に基づく料金の精算を行う給油入金精算装置に関する。
【背景技術】
【０００２】
近年、ガソリンスタンド等の給油施設においては、その省力化およびセルフ給油への移行に伴い、正確でしかも迅速な精算を行うために、予め所定額の残金データ等の有価価値情報が記憶された磁気カ−ド等から成るプリペイドカード等の記憶媒体を用い、該記憶媒体に記録されている前記有価価値情報を用いて給油した料金の精算処理を行う給油精算装置が使用されるようになってきている。
【０００３】
また、ガソリンスタンド等の給油施設においては、利用者の固定化とサービス向上の一環として、近年、利用状況に応じて付与価値であるポイント等を利用者に付与し、該付与したポイントをプリペイドカードに記録したり、プリペイドカード機能を有する会員カードに記録、または当該会員カードに記録された会員ＩＤ等から特定できるようにしたものがある。
【発明の開示】
【発明が解決しようとする課題】
【０００４】
これらポイント等の付与価値を利用者に付与することは、他店との差別化等において有効な手段となるが、これらポイント等の付与価値を利用者に付与するためには、ポイントを付与するための特別な装置やシステムを新たに導入したり精算装置等に並設する必要があるばかりか、これら付与されるポイントは、所定数のポイントとなった場合に景品等と交換されるものが多く、これら付与されるポイントの付加価値が利用者から見て低いものであるため、これらポイントを給油等に使用できるものにしたいというガソリンスタンド側の要望があるが、これらポイントを給油等に使用できるものとするためには、ポイント数の確認や残金への加算等の処理を個別に実施する必要があり、利用者にとってもガソリンスタンド側にとってもこれらの処理が面倒で煩雑となってしまうという問題があった。
【０００５】
本発明は、このような問題点に着目してなされたもので、ポイント等の付与価値を給油等に使用できるようにすることで付与価値の付加価値を高めることができるとともに、これら付与価値の付与や、付与価値を給油等に使用できるようにするための処理を特別な装置等を必要とせずに簡便に実施することのできる給油入金精算装置を提供することを目的としている。
【課題を解決するための手段】
【０００６】
上記課題を解決するために、本発明の請求項１に記載の給油入金精算装置は、
貨幣を投入可能とされた紙幣投入口と、
残存有価価値情報である残金データが書き換え可能に記憶された記憶媒体としてのカードを挿入可能としたカード挿入口と、
磁気ヘッド部と、印字ヘッド部とを有するリーダライタと、
前記挿入されたカードの残金データと前記投入貨幣との合計金額を逐次表示する金額表示部と、
油種選択スイッチで選択された油種の単価と前記金額表示部において前記逐次表示される金額に基づき、前記選択した油種において給油可能な油量が表示される給油可能油量表示部と、
少なくとも前記カードにはポイントが付与されるようになっており、このポイント数は、給油に利用した利用合計額に応じてポイントが付与されていき、該付与ポイントにおける所定得点毎に所定の金額が、前記残金データである利用後残高に加算されるとともに、該加算処理された金額に該当するポイントの減算処理が実施される加算減算処理手段と、
給油後に、前記カードには、前記カードにある残金データと前記投入貨幣との合計金額から給油利用金額が減額された利用後残高に、少なくとも前記付与ポイントから得られる金額が加算された新たな残金データ、そして減算処理されたポイント数を、前記磁気ヘッド部と印字ヘッド部とを利用して記録並びに印字してカードを返却する返却手段と、
を具備することを特徴としている。
【０００９】
本発明の請求項２に記載の給油入金精算装置は、請求項１に記載の給油入金精算装置であって、
前記カードが、前記印字を所定回数に渡って書き換え可能なリライトカードであることを特徴としている。
【発明を実施するための最良の形態】
【００１１】
本発明の実施例を以下に説明する。
【００１２】
図１は、本発明の給油入金精算装置を適用した本実施例の給油装置を示す外観正面図、図２は、本発明の給油入金精算装置を示す拡大正面図であり、図３は、本実施例の給油入金精算装置の構成を示す側断面図であり、図４は、本実施例の給油装置の給油ノズル部を示す外観斜視図であり、図５は、本実施例の給油装置の構成を示すブロック図であり、図６（ａ），（ｂ）は、本実施例に用いた記録媒体であるリライトカ−ドを示す図であり、図７は、本実施例における付与価値であるポイント付与並びに該ポイントによるキャッシュバックの処理内容を示すフロ−図である。
【００１３】
本実施例の給油装置１は、図１に示されるような外観を有し、ほぼ一般的な給油装置と同様の外観とされており、主に給油ポンプ７ａ、７ｂ、７ｃおよび計量器８ａ、８ｂ、８ｃと複数の給油ノズル４ａ、４ｂ、４ｃ等を備える本体部２と、前記計量器８ａ、８ｂ、８ｃにより計量された各油種の油量を表示する計量表示部８と本発明の給油入金精算装置３とからなる操作部より構成されている。
【００１４】
本実施例の給油装置１を構成する前記本体部２の構成は、図１および図４に示すようになっており、各油種、本実施例では軽油、ハイオクガソリン、レギュラーガソリン（本実施例ではプレミヤムは未使用）の３種の給油ノズル４ａ、４ｂ、４ｃがノズルホルダー６ａ、６ｂ、６ｃに格納されて設けられており、各給油ノズル４ａ、４ｂ、４ｃは、これら各ノズルホルダー６ａ〜６ｃに設けられた各給油ノズル４ａ〜４ｃの取り出しを不可とするロック装置２２ａ〜２２ｃにより、不必要に給油ノズル４ａ〜４ｃが取り出せないようになっており、各ノズルホルダー６ａ〜６ｃの内部には、各給油ノズル４ａ〜４ｃの有無を検出する検出装置２３ａ〜２３ｃが配置され、これら各ノズルホルダー６ａ〜６ｃの各上部位置には、その給油ノズルが給油可能であることを示す表示部としての動作ランプ２４ａ〜２４ｃが設けられている。
【００１５】
これら前記ロック装置２２ａ〜２２ｃは、図４および図５に示すように電磁マグネットにより進退自在とされたロッド２２’が、給油ノズル４のトリガー部の穴部に係合するようになっており、これらロック装置２２ａ〜２２ｃは、前記各動作ランプ２４ａ〜２４ｃを駆動する信号線に接続されて、動作ランプ２４ａ〜２４ｃと連動して動作し、選択された所定の給油ノズルのみが取り出し可能となるようにされている。
【００１６】
これら各ロック装置２２ａ〜２２ｃおよび前記各油種の給油ポンプ７ａ〜７ｃの各動作は、前記給油入金精算装置３により制御されている。
【００１７】
この本実施例の給油入金精算装置３は、図２に示すように、その前面の開閉可能とされた前面パネル９に、貨幣である紙幣を投入可能とされた紙幣投入口１１と、残存有価価値情報である残金データが書き換え可能に記憶された記憶媒体としてのリライトカード５０を発行または挿入可能とされたカード発行挿入口１０と、前記カード発行挿入口１０より投入された紙幣の合計金額（総金額または税引き金額）を逐次表示する金額表示部１３と、油種選択スイッチ１２ａ〜１２ｄ（但し、本実施例では１２ｄのプレミアムは未使用）にて選択された油種の１リッタ−当りの単価が表示される単価表示部１４と、前記金額表示部１３において表示される金額（リライトカ−ド挿入時に現金を投入した場合には、リライトカ−ドの残金と投入金額との合計金額）に基づき、前記選択した油種において給油可能な油量が表示される給油可能油量表示部１５と、前記金額表示部１３の表示内容を通常表示と税引き金額とで切り換えを行う表示切換スイッチ１２ｅと、該表示切換スイッチ１２ｅに基づき現在金額表示部１３に表示されている内容が通常表示であるか税引き金額のかを示すインジケ−タ４６ａ、４６ｂと、給油開始時に利用者により操作され、前記選択された油種ノズルのロック解除がなされるとともに、投入された紙幣の残金額への入金が確定されてそれ以降の紙幣投入を受け付けがなされなくなる決定スイッチ１２ｆと、が設けられている。
【００１８】
これら本実施例の給油入金精算装置３の構成は、図３に示すように、外装ケース１６の前面部には、前記開閉可能とされた前面パネル９が設けられており、この前面パネル９には、前記カード発行挿入口１０と紙幣投入口１１とが、これら各口を覆うカバー部材１１とともに穿設されており、これら各開口に臨むように、リーダライタ２５の挿入部２０および紙幣識別ユニット２７の紙幣挿入部２１とが配置されている。
【００１９】
また、前記前面パネル９の内面側の所定位置には、前記金額表示部１３、単価表示部１４、給油可能油量表示部１５および油種選択ボタン１２ａ〜１２ｄ並びに表示切換スイッチ１２ｅ、決定スイッチ１２ｆ等と、該給油装置全体の制御を行う制御部であるマイクロコンピュータ（ＭＰＵ）４５等の各デバイスが実装されているメイン基板１８が配設されており、これら基板は外装ケース１６内部のリーダライタ２５や紙幣識別ユニット２７並びに前記本体部２の各部と図５に示すように接続ケーブルにより電気的に接続されている。
【００２０】
本実施例において使用した前記リーダライタ２５は、図６（ａ）に示すように、その表面に所定回数に渡って印字を繰り返し書き換え可能な印字部５１を有するリライトカード５０に、磁気にて記憶されている有価価値情報である残金データの読み出しおよび書き込み、更新を行う磁気ヘッド部３１と、前記リライトカード５０の印字部５１の消去並びに印字を行う印字ヘッド３０とを有する通常のリライトカード用リーダライタを用いているが、その特徴として、該リーダライタ２５の前記挿入部２０と反対側には、図３に示すように、所定数量のリライトカード５０を貯溜可能とされたカード貯溜部３４を有し、前記リーダライタ２５に前記貯溜されているリライトカード５０を供給可能なカード供給ユニット２６が連結されており、これらカード供給ユニット２６の供給口３５より搬送ベルト３２によってリライトカード５０が前記リーダライタ２５に供給されて新規にリライトカード５０を発行できるようになっている。
【００２１】
また、該リーダライタ２５の下部位置には、リライトカード５０への書き込み、更新時に行う書き込み検査において、不良と判断された不良リライトカード５０を貯溜する不良貯溜部２８が設けられており、該不良貯溜部２８への排出は、前記リーダライタ２５内の前記挿入部２０へと繋がる通路中所定位置に設けられたシャッタ（図示せず）が、リライトカード５０の搬送経路を閉じることにより、リライトカード５０の進路が変更されて排出がなされるようになっている。
【００２２】
また、前記カード貯溜部３４の側壁所定位置には、リライトカード５０の残量を検出するための残量センサ３６が設けられており、カード残量が減少して該残量センサ３６がリライトカード５０を検出しなくなった際に、所定の信号が前記ＭＰＵ４５に出力され、該ＭＰＵ４５は、これらカード貯溜部３４へのリライトカード５０の補充指示を、前記金額表示部１３に所定の表示を行うことで報知するようになっている。
【００２３】
これら本実施例の給油入金精算装置３の構成を、図５に基づいてより詳細に説明すると、前記メイン基板１８には、前記油種選択ボタン１２ａ〜１２ｄにおいて利用者が選択した油種に基づいて適宜動作するように、前記制御部であるマイクロコンピュータ（ＭＰＵ）４５と各油種に対応する給油ポンプ７ａ〜７ｃとを接続するインターフェイス部４３と、該各給油ポンプ７ａ〜７ｃと各給油ホース５との間の所定位置に配置された各計量器８ａ〜８ｃに接続されて各計量値を逐次収集して所定のデータとして出力する計量器コントローラ３９と、前記各ノズルホルダー６ａ〜６ｃに設けられた各検出装置２３ａ〜２３ｃに接続され、各給油ノズル４ａ〜４ｃの有無を前記ＭＰＵ４５に出力する検出装置駆動部４４と、前記動作ランプ２４ａ〜２４ｃに接続され、動作ランプ２４ａ〜２４ｃの点灯を前記ＭＰＵ４５の指示に基づき制御する動作ランプ駆動部４２と、給油された油種および油量または投入金額や残金情報等の各種データのやり取りを、通信ケーブル４１を介して精算レジ（図示せず）等の精算装置やＰＯＳシステム等と実施する通信装置４０と、前記合計金額データや、各油種の設定単価や給油量および給油金額等の各種データを記憶する記憶部３８とが実装されているとともに、前記ＭＰＵ４５は計量表示部８に接続され、前記計量器コントローラ３９より出力される計量データが計量表示部８に逐次出力されて表示がなされるようになっている。尚、図５中において４７は、前記金額表示部１３、単価表示部１４、給油可能油量表示部１５の各表示制御を行う表示ドライバである。
【００２４】
以下、本実施例の給油入金精算装置３および給油装置１の動作について、各利用状況別に説明する。
【００２５】
まず、リライトカ−ドを用いずに現金にて給油を行う場合の動作について説明すると、まず利用者は、前記紙幣投入口１１に露出して配置された紙幣識別ユニット２７の紙幣挿入部２１に紙幣を挿入していく。これら挿入された紙幣例えば５千円札は、前記紙幣識別ユニット２７内部にてその真偽が識別され、本物である場合には所定の信号が前記ＭＰＵ４５に出力され、該出力を受けて、前記ＭＰＵ４５は、該出力に基づく合計金額、例えば５千円を逐次算出するとともに、該合計金額を前記金額表示部１３に表示する。
【００２６】
この際、自動車の残油量等に応じて、所望の油量のみ給油を行いたい場合には、前記油種選択スイッチ１２ａ〜１２ｃより所望の油種を選択することにより、該選択された油種の１リットル当りの単価が単価表示部１４に表示されるとともに、前記投入金額にて給油可能な油量（消費税を含んで給油可能な油量）が給油可能油量表示部１５に表示されるようになるため、前記給油可能油量表示部１５の表示が所望の油量以上となるように現金を投入すれば良い。
【００２７】
これら紙幣の挿入の後、利用者は前記決定スイッチ１４ｆを入力することで、前記ＭＰＵ４５は、前記にて選択された油種の給油ノズル、例えばハイオクノズル４ｂに接続された給油ポンプ７ｂを、前記インターフェイス部４３を介して稼働状態とするとともに、前記動作ランプ駆動部４２を介して、前記給油ノズル４ｂに対応付けて設けられた動作ランプ２４ｂを点灯させて、その給油ノズル４ｂが給油可能な状態であることを利用者に知らせるとともに、前記動作ランプ２４ｂの点灯に連動してロック装置２２ｂにおけるロッド２２’が収納されて、給油ノズル４ｂのロックが解除されて給油ノズル４ｂがノズルホルダ６ｂより取り出せるようになるとともに、それ以降の更なる紙幣の投入および油種の変更を受け付けないようになっている。
【００２８】
この動作ランプ２４ｂの表示に基づいて、該利用者は、その給油ノズル４ｂをノズルホルダ６ｂより取り出し、給油ノズルに設けられた給油トリガを引いて従来と同様に給油を実施し、給油が終了すると給油ノズル４ｂを前記ノズルホルダ６ｂに戻す。
【００２９】
これら給油に基づき、前記給油ポンプ７ｂに連設された計量器８ｂに接続された計量器コントローラ３９より出力される油量データが、前記ＭＰＵ４５に逐次出力され、前記計量表示部８のレギュラー表示に表示されていき、前記検出装置２３ｂが該給油ノズル４ｂを検出した段階における油量データが、前記記憶部３８に記憶されるとともに、前記前記ＭＰＵ４５が該記憶部３８に記憶されている該レギュラーガソリンの単価より、給油された該レギュラーガソリンの金額を算出し、これを前記投入金額より減額して新たな残金が金額表示部１３に表示されるとともに、これら残金データである利用後残高をはじめ、図６（ａ）に示すように、該リライトカードを識別可能とするシリアル番号、本日の日付、利用油種、利用油種の単価、今回利用金額、消費税額、利用合計額、利用ポイント数とが、カード供給ユニット２６よりリライトカード５０が前記リーダライタ２５に供給されて記録並びに印字されて利用者に発行される。この際、投入金額の全てを給油に使用してしまい、前記新たな残金が「０」である場合には、前記リライトカードの発行は行われないようになっている。
【００３０】
この際、前記利用ポイント数は、図７のフロー図に示す処理を前記ＭＰＵ４５がが実施することにより、前記消費税を含む利用合計額１０００円毎に１ポイントのポイントが付与されていき、該付与得点が１０ポイントを超えた場合には、１０ポイント毎に１０００円の残金が、前記残金データである利用後残高に加算されるとともに、該加算処理された金額に該当するポイントの減算処理が実施されるようになっている。
【００３２】
また、本実施例では、これらリライトカード５０の発行時において、前記ＭＰＵ４５が、前記カード供給ユニット２６より供給されたリライトカード５０の全ての記憶ビットエリアに、初め「１」を書き込むとともにこれを読み出し、全ての読み出しデータが「１」であるか否かを比較し、読み出しデータに「０」が存在した場合には、該ＭＰＵ４５はこのリライトカード５０を不良と判断して前記不良貯溜部２８に排出させる。
【００３３】
次いで前記ＭＰＵ４５は、前記と同様に再度「０」を全ての記憶ビットエリアに書き込み、これを再度読み出し、これら読み出しデータ列中に「１」が存在する場合には、該ＭＰＵ４５はこのリライトカード５０を不良と判断して前記と同様に不良貯溜部２８に排出させ、該データ列中に「１」が存在しない場合には、このリライトカード５０を良品と判断し、前記発行に供するようになっている。
【００３４】
このように、リライトカード５０の発行時に所定のデータ列の書き込みおよび読み出しを行い、その良・不良を判別することは、書き込みを行うリライトカード５０の良または不良を、その書き換え回数等に依らず確実に判別できることから好ましが、本発明はこれに限定されるものではなく、これらリライトカード５０の良または不良を、その他の手法で判定したり、不要であればこれら判定を用いずとも良い。
【００３５】
また、本実施例では、これら新たな残金表示を給油が終了した段階にて実施しているが、本発明はこれに限定されるものではなく、これら残金を給油量の増加に従って、逐次減額計算し、給油途中においても逐次残金表示が更新表示されるようにしても良い。
【００３６】
次いで、これら発行されたリライトカード５０を用いて給油を実施する際における本実施例の給油入金精算装置３の動作について、以下に説明する。
【００３７】
まず利用者が、前記にて発行されたリライトカード５０を前記カード発行挿入口１０に挿入すると、該リライトカード５０より、残有価価値情報である利用後残高データを初めとする各情報が読み出されて前記記憶部３８に一時記憶されるとともに、該利用後残高である１０００円が前記金額表示部１３に表示される。この際、利用者は該表示内容を消費税引きの金額表示としたい場合、若しくは通常の金額表示としたい場合には、前記表示切替スイッチ１２ｅを押圧操作して、適宜表示を切り替えることが可能とされており、前記金額表示部１３に現在表示されている表示内容は、対応するインジケータ４６ａ、４６ｂが個々に点灯されて示されるようになっている。
【００３８】
前記金額表示部１３に表示された残金では、利用者が所望する量の給油を実施できない場合には、利用者は前記紙幣投入口１１より所望の金額、例えば１０００円紙幣を３枚、３０００円を挿入することで、該挿入された紙幣の金種が前記紙幣識別ユニット２７に識別されてＭＰＵ４５に出力され、前記金額表示部１３の残金に該投入金額が加算された合計金額が、逐次表示されて前記カードの残金に金額を追加することが可能とされている。
【００３９】
これら入金により、前記金額表示部１３には、４０００円の表示がなされるようになり、この状態で利用者は、前回の油種と同一の油種を給油する場合には決定スイッチ１２ｆを操作することにより、前記リライトカード５０に記録された前回と同一の油種の選択が前記ＭＰＵ４５により実施されるようになっている。
【００４０】
このように、前回の給油油種を記録媒体であるリライトカード５０に記録しておくことは、変更がない場合には前記のように油種選択の操作を簡略化できるようになることから好ましいが、本発明はこれに限定されるものではない。
【００４１】
また、前記においては、残金額が少ないため追加の入金を実施しているが、給油量に対して残金が十分に残存する場合には、これら追加入金を実施せず給油を実施するようにしても良いことは言うまでもない。
【００４２】
前記決定スイッチ１２ｆの操作に続く給油処理は、前記現金の投入による処理と同一とされ、例えば利用者が残金である４０００円全ての金額を給油に使用した場合には、前記金額表示部１３の表示は「０」となるが、図６（ｂ）に示すように、これら利用により付与された新たな付与価値であるポイントがリライトカード５０に記録されて返却されるようになっており、給油による利用額が前記残金よりも少なく、新たな残金が存在する場合には、該新たな残金が利用後残高としてライトカード５０に記録されて返却される。
【００４３】
以上、本発明の実施例を図面に基づき説明してきたが、本発明はこれら実施例に限定されるものではなく、本発明の主旨を逸脱しない範囲における変更や追加があっても本発明に含まれることは言うまでもない。
【００４４】
例えば、前記実施例では、カード供給ユニット２６に残量センサ３６を設けており、これらリライトカード５０の残量が所定以下になった際に前記残量センサ３６より出力される所定信号に基づいて、前記ＭＰＵ４５が前記金額表示部１３に所定のメッゼージを表示してリライトカード５０の補充を報知するようになっているが、これら報知の手法はこれに限定されるものではなく、その他の報知手段、例えばランプの点灯やブザーや音声等を用いたり、これらを併用するようにしても良い。
【００４５】
また、前記実施例では、記憶媒体としてリライトカード５０を用いているが、本発明はこれに限定されるものではなく、これら記憶媒体を、例えばＩＣカード等のように電気的にデータを記憶、書き換え可能とされものとしても良く、該記憶データを書き換え可能なものであれば、これら記憶媒体は特に限定されるものではない。
【００４７】
また、前記実施例では、給油装置１全体の制御を前記ＭＰＵ４５が実施するようになっているが、本発明はこれに限定されるものではなく、前記給油装置１の本体部２の制御等実施する制御部を、前記給油入金精算装置３以外に個別に設けるようにしても良く、これら本体部２と給油入金精算装置３とが別体とされていても良い。
【００４８】
また、前記本実施例の給油入金精算装置３においては、細かな残金等は記憶媒体に記憶して発行できるため、硬貨の返却や釣銭の用意の必要がないことから、これら釣銭返却等を行うための比較的高価な硬貨識別計数ユニットを用いる必要がなく、投入可能な貨幣を紙幣のみとすることにより、給油精算装置を安価にて構成することができるようになることから好ましいが、本発明はこれに限定されるものではなく、これら紙幣に加えて硬貨を投入可能としても良いことは言うまでもない。
【図面の簡単な説明】
【００４９】
【図１】本発明の実施例における給油入金精算装置を適用した給油装置を示す外観正面図である。
【図２】本発明の実施例における給油入金精算装置を示す拡大正面図である。
【図３】本発明の実施例における給油入金精算装置の構成を示す側断面図である。
【図４】本発明の実施例における給油装置の給油ノズル部を示す外観斜視図である。
【図５】本発明の実施例における給油入金精算装置を適用した給油装置の構成を示すブロック図である。
【図６】（ａ），（ｂ）は、本発明の実施例において用いた記録媒体であるリライトカ−ドを示す図である。
【図７】本発明の実施例における付与価値であるポイント付与並びに該ポイントによるキャッシュバックの処理内容を示すフロ−図である。
【符号の説明】
【００５０】
１                                  給油装置
２                                  本体部
３                                  給油入金精算装置
４ａ、４ｂ、４ｃ                    給油ノズル
５                                  給油ホース
６ａ、６ｂ、６ｃ                    ノズルホルダー
７ａ、７ｂ、７ｃ                    給油ポンプ
８ａ、８ｂ、８ｃ                    計量器
８                                  計量表示部        
９                                  前面パネル        
１０                                カード発行挿入口      
１１                                紙幣投入口
１２ａ、１２ｂ、１２ｃ、１２ｄ      油種選択ボタン
１３                                金額表示部
１４                                単価表示部
１５                                給油可能油量表示部
１６                                外装ケース
１７                                カバー部材
１８                                メイン基板
２０                                挿入部
２１                                紙幣挿入部
２２ａ、２２ｂ、２２ｃ              ロック装置
２２’                              ロッド
２３ａ、２３ｂ、２３ｃ              検出装置
２４ａ、２４ｂ、２４ｃ              動作ランプ        
２５                                リーダライタ
２６                                カード供給ユニット
２７                                紙幣識別ユニット
２８                                不良貯溜部
３０                                印字ヘッド
３１                                磁気ヘッド
３２                                搬送ベルト
３４                                カード貯溜部
３５                                供給口
３６                                残量センサ
３８                                記憶部
３９                                計量器コントローラ
４０                                通信装置
４１                                通信ケーブル
４２                                動作ランプ駆動部
４３                                インターフェイス部
４４                                検出装置駆動部
４５                                マイクロコンピュータ（ＭＰＵ；制御部）
４７                                表示ドライバ
５０                                リライトカード（記録媒体）
５１                                印字部
【図１】
0003665788.tif 000002
【図２】
0003665788.tif 000003
【図３】
0003665788.tif 000004
【図４】
0003665788.tif 000005
【図５】
0003665788.tif 000006
【図６】
0003665788.tif 000007
【図７】
0003665788.tif 000008